(57)【要約】【課題】  警報の復旧が行われて警報情報の表示が消えても、集合玄関機を操作することで警報発報元の住戸を特定することができる。【解決手段】  居室親機２は非常ボタン２８を有し、火災センサ１０、ガス漏れセンサ１１が接続され、親機ＣＰＵ２５は非常ボタン２８の操作或いはセンサ１０，１１の動作を受けて、制御装置３に異常の種別や居室情報等の送信元情報を具備した異常発生信号を送信する。この異常発生信号は制御装置３を経由して集合玄関機１に送信され、集合玄関機１は異常発信号を受けて警報発報すると共に送信された送信元情報を玄関機メモリ１５に記憶し、警備会社に通報するために通知リレー出力部２０から警報信号を出力する。そして所定の表示操作を受けたら、玄関機メモリ１５に記憶している送信元情報を表示部１６に表示する。【選択図】  図１
2012034115.tif 000002
【特許請求の範囲】
【請求項１】
来訪者が居住者を呼び出して通話するためにエントランスに設置された集合玄関機と、前記集合玄関機からの呼び出しに対して居住者が応答するために個々の住戸に設置された居室親機と、前記集合玄関機及び前記居室親機を制御する制御装置とを有する集合住宅インターホンシステムであって、
前記居室親機は、非常発生を外部に通報するための非常ボタン、及び前記非常ボタンが操作されたら居室情報等の送信元情報を具備した異常発生信号を前記制御装置に送信する異常発生通報制御部を備えると共に、前記制御装置は、前記異常発生信号を受けたら前記集合玄関機に前記異常発生信号を送信する通報制御部を具備し、
更に前記集合玄関機又は前記制御装置が、前記異常発信号が具備する前記送信元情報を記憶する警報履歴記憶部を備えて、
前記集合玄関機は、前記警報履歴記憶部に記憶された送信元情報を表示する表示部と、前記表示部に表示させる表示操作部と、警備会社等の外部の通報先に異常発生を通報するための警報出力部と、前記表示部、前記警報出力部を制御する玄関機制御部とを具備することを特徴とする集合住宅インターホンシステム。
【請求項２】
前記居室親機には、火災センサ、ガス漏れセンサ等のセキュリティセンサが接続され、前記異常発生通報制御部は、前記セキュリティセンサが動作した場合も異常発生信号を送信し、その際は異常発生信号に異常の種別情報を加えて送信し、前記集合玄関機が表示する送信元情報には異常の種別情報も含まれることを特徴とする請求項１記載の集合住宅インターホン装置。
【請求項３】
前記集合玄関機は、異常発生を報音するための警報手段を有し、
前記玄関機制御部は、前記異常発生信号を受けたら前記警報手段を報音動作させると共に、前記表示部に異常発生情報を表示させることを特徴とする請求項１又は２記載の集合住宅インターホンシステム。
【請求項４】
前記制御装置は、エレベータを制御するエレベータ制御装置と通信を実施する一方、
前記集合玄関機は、前記所定の表示操作を受けたら前記制御装置に対してエレベータ制御のための制御信号を送信する信号送信部を有し、
前記通報制御部は、前記集合玄関機から前記制御信号を受けたら前記エレベータ制御装置に対して、前記エレベータを予め設定された階に移動させるエレベータ連動信号を送信することを特徴とする請求項１乃至３の何れかに記載の集合住宅インターホンシステム。
【請求項５】
前記エレベータ制御装置は、前記エレベータ連動信号を他のエレベータ操作信号に優先して処理することを特徴とする請求項４記載の集合住宅インターホンシステム。
【発明の詳細な説明】
【技術分野】
【０００１】
本発明は集合住宅インターホンシステムに関し、特に異常の発生を外部に通報するための非常ボタンが居室親機に設けられた集合住宅インターホンシステムに関する。
【背景技術】
【０００２】
従来より、非常ボタンに加えて、火災センサ、ガス漏れセンサ等のセキュリティセンサが居室親機に取り付けられて、異常の発生を集合玄関機や警備会社等の外部に通報する機能を備えてセキュリティ性能を高めた集合住宅インターホンシステムがある（例えば、特許文献１参照）。
このような異常通報機能を備えた集合住宅インターホンシステムは、非常ボタンが押されたりセキュリティセンサが動作したら居室親機や集合玄関機でも警報報知を行うが、居室親機にて復旧操作されると警報動作を停止して復旧動作した（例えば、特許文献２参照）。
【先行技術文献】
【特許文献】
【０００３】
【特許文献１】特開２００５−０７９６８６号公報
【特許文献２】特開２００７−０９６７１７号公報
【発明の概要】
【発明が解決しようとする課題】
【０００４】
上記従来の集合住宅インターホンシステムでは、居室親機にて警報発報すると集合玄関機に加えて警備会社等の外部通報先でも警報報知を行うため、警備員等が駆けつける等の速やかな対応が可能となった。しかし、警報を受けて駆けつけた警備員等が、集合玄関機により警報発報表示を見て警報発生元を確認しようしたときに、既に発報元の居室親機が復旧操作されていたら、集合玄関機においても警報表示が終了するため、警報発報した居室の確認に手間取り、速やかに対応できない場合があった。この場合は、例えば個々の住戸を順番に確認する等で対処していた。
【０００５】
そこで、本発明はこのような問題点に鑑み、警報発報後、復旧操作等で集合玄関機に警報情報の表示が無くても、集合玄関機を操作することで警報発報元の住戸を特定することができる集合住宅インターホンシステムを提供することを目的とする。
【課題を解決するための手段】
【０００６】
上記課題を解決する為に、請求項１の発明は、来訪者が居住者を呼び出して通話するためにエントランスに設置された集合玄関機と、集合玄関機からの呼び出しに対して居住者が応答するために個々の住戸に設置された居室親機と、集合玄関機及び居室親機を制御する制御装置とを有する集合住宅インターホンシステムであって、居室親機は、非常発生を外部に通報するための非常ボタン、及び非常ボタンが操作されたら居室情報等の送信元情報を具備した異常発生信号を制御装置に送信する異常発生通報制御部を備えると共に、制御装置は、異常発生信号を受けたら集合玄関機に異常発生信号を送信する通報制御部を具備し、更に集合玄関機又は制御装置が、異常発信号が具備する送信元情報を記憶する警報履歴記憶部を備えて、集合玄関機は、警報履歴記憶部に記憶された送信元情報を表示する表示部と、表示部に表示させる表示操作部と、警備会社等の外部の通報先に異常発生を通報するための警報出力部と、表示部、警報出力部を制御する玄関機制御部とを具備することを特徴とする。
この構成によれば、非常ボタンの操作を受けた居室親機は、集合玄関機や警備会社等の外部通報先に通知する。そして、この通知を受けて駆けつけた警備会社の警備員等が集合玄関機を操作すると集合玄関機に送信元情報が表示される。よって、集合玄関機において警報発報した住戸を容易に特定でき、速やかな対処が可能となる。
更に、集合玄関機で確実に異常発生信号の送信元等を確認できるので、警備会社等の外部へ送信される警報信号は少なくとも集合住宅の情報を具備していれば良く、送信信号を簡略化できる。
【０００７】
請求項２の発明は、請求項１に記載の構成において、居室親機には、火災センサ、ガス漏れセンサ等のセキュリティセンサが接続され、異常発生通報制御部は、セキュリティセンサが動作した場合も異常発生信号を送信し、その際は異常発生信号に異常の種別情報を加えて送信し、集合玄関機が表示する送信元情報には異常の種別情報も含まれることを特徴とする。
この構成によれば、複数種類の異常発生を外部に通知できりため、セキュリティが向上する。そして、集合玄関機において送信元の住戸情報に加えて異常の種別情報も表示させることができ、対応する警備員等は適切に対処することができる。
【０００８】
請求項３の発明は、請求項１又は２に記載の構成において、集合玄関機は、異常発生を報音するための警報手段を有し、玄関機制御部は、異常発生信号を受けたら警報手段を報音動作させると共に、表示部に異常発生情報を表示させることを特徴とする。
この構成によれば、異常発生時に集合玄関機でも警報発報するし、異常発生元を確認できるので、玄関に居る人による対処も可能となる。
【０００９】
請求項４の発明は、請求項１乃至３の何れかに記載の構成において、制御装置は、エレベータを制御するエレベータ制御装置と通信を実施する一方、集合玄関機は、所定の表示操作を受けたら制御装置に対してエレベータ制御のための制御信号を送信する信号送信部を有し、通報制御部は、集合玄関機から制御信号を受けたらエレベータ制御装置に対して、エレベータを予め設定された階に移動させるエレベータ連動信号を送信することを特徴とする。
この構成によれば、集合玄関機にて異常発生信号の送信元情報を表示させる所定の操作を行うことで、エレベータが制御されて例えば集合玄関機の設置してある階に移動させることができる。そのため、駆けつけた警備員等はエレベータを別途操作する手間を省くことができる。
【００１０】
請求項５の発明は、請求項４に記載の構成において、エレベータ制御装置は、エレベータ連動信号を他のエレベータ操作信号に優先して処理することを特徴とする。
この構成によれば、異常発生時に集合玄関機を操作すると、エレベータが優先動作するため、警備員等は速やかな対応が可能となる。
【発明の効果】
【００１１】
本発明によれば、非常ボタンの操作やセキュリティセンサの動作を受けた居室親機は、集合玄関機や警備会社等の外部通報先に通知する。そして、この通知を受けた警備会社の警備員等が現場に駆けつけたときに、警報復旧が成されて集合玄関機において警報発生元が表示されていなくても、所定の操作で集合玄関機に異常発生信号の送信元情報を表示させることができる。よって、集合玄関機において警報発報した住戸を容易に特定でき、速やかな対処が可能となる。
【図面の簡単な説明】
【００１２】
【図１】本発明に係る集合住宅インターホンシステムの一例を示す構成図である。
【図２】集合玄関機の回路ブロック図である。
【図３】居室親機の回路ブロック図である。
【図４】制御装置の回路ブロック図である。
【発明を実施するための形態】
【００１３】
以下、本発明を具体化した実施の形態を、図面を参照して詳細に説明する。図１は、本発明に係る集合住宅インターホンシステムの一例を示す構成図であり、１は来訪者が居住者を呼び出して通話するためにエントランス等に設置された集合玄関機、２は集合玄関機１からの呼び出しを受けて居住者が応答するために個々の住戸に設置された居室親機、３は集合玄関機１及び居室親機２を制御する制御装置、４は公衆通信網を介して警備会社等へ異常発生を通報するための警報通報装置、５はエレベータ、６はエレベータ制御装置、７は翳された非接触キー（図示せず）からキー情報を受信する非接触キー受信部、８は非接触キーによるキー操作を受けて所定の信号を出力する非接触キー制御装置、１０は火災センサ、１１はガス漏れセンサである。
【００１４】
集合玄関機１は伝送線Ｌ１を介して制御装置３に接続され、居室親機２，２，・・は親機幹線Ｌ２を介して制御装置３に接続されている。警報通報装置４は、伝送線Ｌ３を介して集合玄関機１に接続されると共に、公衆通信網Ｎを介して警備会社Ｓと通信を可能としている。また、エレベータ制御装置６、非接触キー制御装置８は夫々制御装置３に伝送線Ｌ４，Ｌ５を介して接続され、火災センサ１０、ガス漏れセンサ１１は、個々の居室親機２に接続されている。
【００１５】
図２は集合玄関機１の回路ブロック図を示している。この図２に示すように、集合玄関機１は通話音声を制御する通話回路１３、通話するためのマイク１３ａ及びスピーカ１３ｂ、来訪者を撮像するためのカメラ１４、警報履歴等を記憶する玄関機メモリ１５、各種情報を表示する表示部１６、テンキーや呼出ボタン等を有し訪問先住戸の呼出操作を行うための操作部１７、集合玄関機１全体を制御する玄関機ＣＰＵ１８、制御装置３と通信するための玄関機通信回路１９、警報信号を出力するリレー出力部２０等を備えている。
【００１６】
図３は居室親機２の回路ブロック図を示している。図３に示すように、居室親機２は通話音声を制御する通話回路２２、通話するためのマイク２２ａ及びスピーカ２２ｂ、来訪者映像を表示するためのＬＣＤ等で構成された表示部２３、通話操作や録画操作等各種操作を行うための操作部２４、居室親機２全体を制御する親機ＣＰＵ２５、映像の録画等に使用する親機メモリ２６、制御装置３と通信を行うための親機第１通信回路２７ａ、火災センサ１０やガス漏れセンサ１１からセンサ信号を受信するための親機第２通信回路２７ｂ、不審者の侵入等非常時に操作される非常ボタン２８等を備えている。
【００１７】
図４は制御装置３の回路ブロック図を示している。図４に示すように、制御装置３は集合玄関機１と通信する第１通信回路３１、居室親機２と通信する第２通信回路３２、エレベータ制御装置６と通信する第３通信回路３３、非接触キー制御装置８と通信する第４通信回路３４、通信履歴等を記憶する制御装置メモリ３５、制御装置３全体を制御する制御装置ＣＰＵ３６等を備えている。尚、非接触キー受信部７は、ここでは、警備会社Ｓがセキュリティチェックの為に使用するもので、非接触キーを翳すことで集合玄関機１に警報履歴等を表示させたり、オートドア（図示せず）を解錠するために使用される。
【００１８】
このように構成された集合住宅インターホンシステムについて、以下、動作を説明する。但し、来訪者が集合玄関機１の操作部１７を操作して所望の住戸を呼び出すと集合玄関機１のカメラ１４が撮像を開始して撮像映像が呼出先の居室親機２の表示部２３に表示され、呼出音が鳴動する動作、及び居住者が居室親機２で応答操作すると集合玄関機１と居室親機２の間で通話路が形成され、居室親機２の操作でオートドアを解錠させる動作については、従来と同様であるので説明を省略する。ここでは、セキュリティセンサ（火災センサ１０、ガス漏れセンサ１１）が動作した場合、或いは非常ボタン２８が操作された場合の動作を説明する。
【００１９】
例えば、集合住宅の何れかの住戸に強盗が侵入し、それに気づいた居住者により居室親機２の非常ボタン２８が押下操作されると、親機ＣＰＵ２５の制御により親機第１通信回路２７ａを介して制御装置３へ居室番号等の居室ＩＤを具備した異常発生信号が送信される。この異常発生信号を受信した制御装置３は、制御装置ＣＰＵ３６の制御により第１通信回路３１を介して集合玄関機１へ異常発生信号が送信される。
【００２０】
制御装置３から異常発生信号を受信した集合玄関機１では、玄関機ＣＰＵ１８の制御により表示部１６の表示制御、及び警報通報装置４に警報信号が送信される。具体的に、異常発生信号に付加されている居室ＩＤ情報、種別情報から、異常発生信号送信元の居室情報、種別情報（この場合非常ボタン２８が押されたことによる非常発生を示す情報）が表示部１６に表示される。また、通話回路１３が制御されてスピーカ１３ｂにて警報音が鳴動する。
【００２１】
そして、警報信号として単純な通知信号がリレー出力部２０から警報通報装置４へ出力される。通知信号を受信した警報通報装置４は、通知先に設定されている警備会社Ｓを電話回線等の公衆通信網Ｎを介して呼び出し、異常発生を通知する。
この通報情報から通報元を認識した警備会社Ｓの警備員等が集合住宅へ駆けつけて、集合玄関機１に表示されている異常発生情報を見ることで、具体的な通報元住戸や異常種別の確認がなされ、通報元の住戸へ赴く等の必要な行動がとられる。
【００２２】
但し、居室親機２や集合玄関機１の異常発生の警報音は、異常通報元の居室親機２を復旧操作することで停止する。具体的に、復旧操作を受けて、親機ＣＰＵ２５は通話回路２２を制御してスピーカ２２ｂで報音している警報を終了させる。そして、制御装置３へ居室ＩＤを付加した復旧信号を送信する。この復旧信号を受信した制御装置３は、制御装置ＣＰＵ３６の制御により、集合玄関機１へ復旧信号を送信する。復旧信号を受信した集合玄関機１は、玄関機ＣＰＵ１８の制御により表示部１６の警報表示の解除を行い、通話回路１３を介してスピーカ１３ｂにて鳴動している警報音の停止を行う。そして、リレー出力部２０から警報通報装置４を介して警備会社Ｓへの通報を解除する。
【００２３】
そのため、警備員到着前に、強盗等により復旧操作が行われると、集合住宅に駆けつけた警備員等が集合玄関機１を見て送信元や警報の種別を確認しようとしても、これらの情報は消えていることになる。この場合、集合玄関機１の操作部１７を直接操作して警報履歴表示操作を行うか、警備員が専用の非接触キーを非接触キー受信部７に翳すことで再表示される。
具体的に、操作部１７から警報履歴表示操作がされると、玄関機ＣＰＵ１８の制御により玄関機メモリ１５に蓄積されている警報情報の履歴を最新の情報から表示部１６に表示される。一方、非接触キーが非接触キー受信部７に翳されると、非接触キー制御装置８は制御装置３へ警備会社Ｓ用のＩＤを付加した信号を送信する。この警備会社Ｓ用のＩＤを付加した信号を制御装置３が受信すると、制御装置ＣＰＵ３６の制御により集合玄関機１へ警報履歴表示信号が送信される。警報履歴表示信号を受信した集合玄関機１は、玄関機ＣＰＵ１８の制御により玄関機メモリ１５に蓄積されている警報情報の履歴が読み出されて表示部１６に表示される。
【００２４】
また、玄関機ＣＰＵ１８は警報履歴の表示操作を受けて、エレベータ制御装置６に対してエレベータ連動信号を送信する。このエレベータ連動信号は制御装置３を介してエレベータ制御装置６へ送信される。
一方、非接触キーを使用して表示操作が成された場合は、非接触キー制御装置８から伝送された警報履歴表示信号を受けて、制御装置ＣＰＵ３６がエレベータ連動信号を生成してエレベータ制御装置６へ送信する。
【００２５】
こうしてエレベータ連動信号を受信したエレベータ制御装置６は、エレベータ５を制御し、操作された集合玄関機１が設置されている階（或いは非接触キーによる操作を受けた階）に自動で移動させる。そして、このエレベータ連動信号によるエレベータ制御は、所定時間の間他のエレベータ操作信号に優先して実施される。
【００２６】
このように、非常ボタン２８の操作やセキュリティセンサ（火災センサ１０，ガス漏れセンサ１１）の動作を受けた居室親機２は、集合玄関機１や警備会社Ｓ等の外部通報先に通知する。そして、この通知を受けて駆けつけた警備会社の警備員等により集合玄関機１が所定の操作を受けると集合玄関機１に住戸情報や警報の種別情報等の送信元情報が表示されるので、集合玄関機１において警報発報した住戸を容易に特定でき、速やかな対処が可能となる。
また、集合玄関機１で確実に異常発生信号の送信元等を確認できるので、警備会社等の外部へ送信される警報信号は少なくとも集合住宅の情報を具備していれば良く、送信信号を簡略化できる。
更に、集合玄関機１にて異常発生信号の送信元情報を表示させるための所定の操作を行うことでエレベータ５が制御され、例えばエレベータ５を集合玄関機１が設置されている階に移動させることができる。そのため、駆けつけた警備員等はエレベータ５を別途操作する手間を省くことができる。そして、この時のエレベータ動作は、他のエレベータ操作信号より優先されるため、警備員等は速やかに対応することが可能となる。
そして、復旧操作されるまでは集合玄関機１でも警報発報するし、異常発生元を確認できるので、近くに居る人は対処し易い。
【００２７】
尚、上記実施形態では、集合玄関機１でも異常発生信号を受けて、警報発報すると共に、警報内容を表示するが、集合玄関には常時人がいるわけではないので、発報動作は無くても良いし、情報表示動作は所定の表示動作が成された場合のみ表示させても良い。
また、非常ボタン２８に加えて、セキュリティセンサ（火災センサ１０、ガス漏れセンサ１１）を居室親機２に接続して異常を検知した場合に外部に通報する構成となっているが、非常ボタン２８のみ備えてセキュリティセンサが無くても異常発生の通報には有効である。一方、居室親機２に接続されるセキュリティセンサは、火災センサ１０、ガス漏れセンサ１１に限定するものではなく、人感センサ、窓センサ等であっても良いし、非常ボタン２８も、セキュリティセンサのように居室親機２とは別体として、信号線で居室親機２に接続しても良い。
また、警報履歴を集合玄関機１が蓄積しているが、警報履歴は制御装置３に蓄積しても良く、集合玄関機１が複数設置されるような場合は、メモリ数を削減できる。
また、この警備会社Ｓに対する異常発生の通知は単純な信号であるが、具体的な発生住戸情報、及び異常種別情報等の集合玄関機で表示する情報と同様に詳しい情報であっても良い。
更に、警備会社Ｓに通報するための警報通報装置４を集合玄関機１に接続しているが、制御装置３に接続して制御装置から警報信号を出力させても良いし、非接触キー制御装置８を制御装置３に接続しているが、集合玄関機１に接続しても良い。
【符号の説明】
【００２８】
１・・集合玄関機、２・・居室親機、３・・制御装置、５・・エレベータ、６・・エレベータ制御装置、１０・・火災センサ（セキュリティセンサ）、１１・・ガス漏れセンサ（セキュリティセンサ）、１３ｂ・・スピーカ（警報手段）、１５・・玄関機メモリ（警報履歴記憶部）、１６・・表示部、１７・・操作部（表示操作部）、１８・・玄関機ＣＰＵ（玄関機制御部、信号送信部）、２０・・リレー出力部、２３・・表示部、２４・・操作部、２５・・親機ＣＰＵ（異常発生通報制御部）、２８・・非常ボタン、３６・・制御装置ＣＰＵ（通報制御部）。
【図１】
2012034115.tif 000003
【図２】
2012034115.tif 000004
【図３】
2012034115.tif 000005
【図４】
2012034115.tif 000006